(57)【要約】  課題ヘッドマウントディスプレイ装置の装着感を改善する技術を提供すること。  頭部装着帯１２０に取り付けられるクッション１８０Ａ、１８０Ｂのユーザの頭部に接触する接触面について、表示部１７０が取り付けられている側のクッション１８０Ａの接触面の面積が、他方のクッション１８０Ｂの接触面の面積よりも大きくなるように形成する。
2008020546.tif 000002
【特許請求の範囲】
【請求項１】
ユーザの頭部に装着する装置本体を備えるヘッドマウントディスプレイ装置であって、
前記装置本体は、頭部装着帯と、該頭部装着帯の一端側に回動自在に連結されたアーム部と、該アーム部の先端に取り付けられた表示部と、を備え、
前記頭部装着帯には、前記ユーザの頭部に接触する位置にクッションが形成されていること、
を特徴とするヘッドマウントディスプレイ装置。
【請求項２】
請求項１に記載のヘッドマウントディスプレイ装置であって、
前記クッションは、前記頭部装着帯の中心から前記一端側の方が、前記頭部装着帯の他端側よりも大きな形状を有すること、
を特徴とするヘッドマウントディスプレイ装置。
【請求項３】
請求項２に記載のヘッドマウントディスプレイ装置であって、
前記クッションは、全ユーザの頭部に接触する接触面を備えており、
前記接触面は、前記頭部装着帯の中心から前記一端側の方が、前記頭部装着帯の他端側よりも大きな面積となるように形成されていること、
を特徴とするヘッドマウントディスプレイ装置。
【請求項４】
請求項３に記載のヘッドマウントディスプレイ装置であって、
前記接触面の面積は、前記頭部装着帯の中心から前記一端側に位置する前記装置本体の重さと、前記他端側に位置する前記装置本体の重さと、の比率に応じて形成されていること、
を特徴とするヘッドマウントディスプレイ装置。
【請求項５】
請求項４に記載のヘッドマウントディスプレイ装置であって、
前記頭部装着帯の中心から前記一端側に位置する前記接触面の面積と、前記他端側に位置する前記接触面の面積と、の比率は、前記頭部装着帯の中心から前記一端側に位置する前記装置本体の重さと、前記他端側に位置する前記装置本体の重さと、の比率に対して±１０％の範囲内にあるように形成されていること、
を特徴とするヘッドマウントディスプレイ装置。
【請求項６】
請求項５に記載のヘッドマウントディスプレイ装置であって、
前記頭部装着帯の中心から前記一端側に位置する前記接触面の面積と、前記他端側に位置する前記接触面の面積と、の比率は、前記頭部装着帯の中心から前記一端側に位置する前記装置本体の重さと、前記他端側に位置する前記装置本体の重さと、の比率に一致するように形成されていること、
を特徴とするヘッドマウントディスプレイ装置。
【請求項７】
請求項１乃至６の何れか一項に記載のヘッドマウントディスプレイ装置であって、
前記クッションは、前記頭部装着帯の中心から前記一端側に取り付けられた第一のクッションと、前記他端側に取り付けられた第二のクッションと、により形成されており、
前記第一のクッション及び第二のクッションは、頭部装着帯の中心からそれぞれの端部に向かって、前記頭部装着帯の長さにおける２０％〜４０％の長さ隔てた範囲内に取り付けられていること、
を特徴とするヘッドマウントディスプレイ装置。
【請求項８】
請求項７に記載のヘッドマウントディスプレイ装置であって、
前記クッションは、さらに、前記頭部装着帯の中心に対応する位置に取り付けられた第三のクッションと、により形成されていること、
を特徴とするヘッドマウントディスプレイ装置。
【発明の詳細な説明】
【技術分野】
【０００１】
本発明は、ヘッドマウントディスプレイ装置に関する。
【背景技術】
【０００２】
ユーザの眼前で画像を表示する装置として、ヘッドマウントディスプレイ装置が従来から使用されている。【０００３】
従来のヘッドマウントディスプレイ装置は、ディスプレイを先端に取り付けたアームが、ユーザの頭部に装着する頭部装着帯の両端に連結されているスピーカのいずれか一方に対して回動自在に取り付けられており、ディスプレイに表示される画像を見る場合には、ディスプレイを眼前の位置に回動させ、ディスプレイに表示される画像を一時的に見ない場合には、ディスプレイを眼前の位置からユーザの頭頂部に近い位置に回動させる（例えば、特許文献１参照）。【０００４】
【特許文献１】特開２００４−８０６７９号公報
【発明の開示】
【発明が解決しようとする課題】
【０００５】
従来のヘッドマウントディスプレイ装置では、弾性を有する材料で頭部装着帯を構成し、この頭部装着帯の両端に取り付けられているスピーカの間隔をユーザの頭部の幅よりも短くすることで、ヘッドマウントディスプレイ装置をユーザの頭部に装着した際に、頭部装着帯の両端に取り付けられているスピーカをユーザの頭部の内側方向に付勢することにより、ヘッドマウントディスプレイ装置をユーザの頭部に固定的に装着することができるようにしている。【０００６】
しかしながら、ヘッドマウントディスプレイ装置は、スピーカ以外にディスプレイ、アーム、ディスプレイに表示する画像信号等を制御する制御回路が組み込まれるため重量が重くなり、ユーザの頭部にスピーカを付勢する付勢力を強くしなければならず、装着感が良くなかった。【０００７】
また、従来のヘッドマウントディスプレイ装置は、ディスプレイ、アーム及び制御回路が頭部装着帯の一端側に取り付けられているため、重量バランスが一方に隔たっているため、ユーザの頭部に掛かる負荷も一方に隔たっており、このこともヘッドマウントディスプレイ装置の装着感を悪くする一因となっている。【０００８】
そこで、本発明は、ヘッドマウントディスプレイ装置の装着感を改善する技術を提供することを目的とする。
【課題を解決するための手段】
【０００９】
以上の課題を解決するため、請求項１に係る発明は、ユーザの頭部に装着する装置本体を備えるヘッドマウントディスプレイ装置であって、前記装置本体は、頭部装着帯と、該頭部装着帯の一端側に回動自在に連結されたアーム部と、該アーム部の先端に取り付けられた表示部と、を備え、前記頭部装着帯には、前記ユーザの頭部に接触する位置にクッションが形成されていること、を特徴とする。【００１０】
また、請求項２に係る発明は、請求項１に記載のヘッドマウントディスプレイ装置であって、前記クッションは、前記頭部装着帯の中心から前記一端側の方が、前記頭部装着帯の他端側よりも大きな形状を有すること、を特徴とする。【００１１】
また、請求項３に係る発明は、請求項２に記載のヘッドマウントディスプレイ装置であって、前記クッションは、全ユーザの頭部に接触する接触面を備えており、前記接触面は、前記頭部装着帯の中心から前記一端側の方が、前記頭部装着帯の他端側よりも大きな面積となるように形成されていること、を特徴とする。【００１２】
また、請求項４に係る発明は、請求項３に記載のヘッドマウントディスプレイ装置であって、前記接触面の面積は、前記頭部装着帯の中心から前記一端側に位置する前記装置本体の重さと、前記他端側に位置する前記装置本体の重さと、の比率に応じて形成されていること、を特徴とする。【００１３】
また、請求項５に係る発明は、請求項４に記載のヘッドマウントディスプレイ装置であって、前記頭部装着帯の中心から前記一端側に位置する前記接触面の面積と、前記他端側に位置する前記接触面の面積と、の比率は、前記頭部装着帯の中心から前記一端側に位置する前記装置本体の重さと、前記他端側に位置する前記装置本体の重さと、の比率に対して±１０％の範囲内にあるように形成されていること、を特徴とする。【００１４】
また、請求項６に係る発明は、請求項５に記載のヘッドマウントディスプレイ装置であって、前記頭部装着帯の中心から前記一端側に位置する前記接触面の面積と、前記他端側に位置する前記接触面の面積と、の比率は、前記頭部装着帯の中心から前記一端側に位置する前記装置本体の重さと、前記他端側に位置する前記装置本体の重さと、の比率に一致するように形成されていること、を特徴とする。【００１５】
また、請求項７に係る発明は、請求項１乃至６の何れか一項に記載のヘッドマウントディスプレイ装置であって、前記クッションは、前記頭部装着帯の中心から前記一端側に取り付けられた第一のクッションと、前記他端側に取り付けられた第二のクッションと、により形成されており、前記第一のクッション及び第二のクッションは、頭部装着帯の中心からそれぞれの端部に向かって前記頭部装着帯の長さにおける２０％〜４０％の長さ隔てた範囲内に取り付けられていること、を特徴とする。【００１６】
また、請求項８に係る発明は、請求項７に記載のヘッドマウントディスプレイ装置であって、前記クッションは、さらに、前記頭部装着帯の中心に対応する位置に取り付けられた第三のクッションと、により形成されていること、を特徴とする。
【発明の効果】
【００１７】
以上のように、本発明によれば、頭部装着帯から内側に延びるクッションが設けられているため、このクッションの部分でもヘッドマウントディスプレイ装置を支えることができるため、ヘッドマウントディスプレイ装置の装着感を改善することができる。
【図面の簡単な説明】
【００１８】
【図１】第一の実施形態であるヘッドマウントディスプレイ装置１００の斜視図。
【図２】ヘッドマウントディスプレイ装置１００の回路構成を示す概略図。
【図３】図１において表示部１７０が頭部装着帯１２０と対向する位置にある場合のＸ−Ｘ線における矢示方向から見た横断面図。
【図４】装置本体１１０の正面図。
【図５】第一の実施形態の変形例であるヘッドマウントディスプレイ装置１００の斜視図。
【図６】第二の実施形態であるヘッドマウントディスプレイ装置２００の斜視図。
【図７】装置本体２１０の上面図。
【図８】第二の実施形態の変形例であるヘッドマウントディスプレイ装置２００の斜視図。
【図９】第三の実施形態であるヘッドマウントディスプレイ装置３００の斜視図。
【図１０】装置本体３１０の正面図。
【図１１】図１のヘッドマウントディスプレイ装置１００の変形例の斜視図。
【符号の説明】
【００１９】
１００，２００，３００：ヘッドマウントディスプレイ装置、１１０，２１０，３１０：装置本体、１２０，２２０：頭部装着帯、１３０，２３０：スピーカ、１４０：表示回路部、１５０：支持部、１６０：アーム部、１７０：表示部、１８０，２８０，３８０：クッション、１９０：コントローラ、１９９：ケーブル
【発明を実施するための最良の形態】
【００２０】
図１は、本発明の第一の実施形態であるヘッドマウントディスプレイ装置１００の斜視図である。【００２１】
図示するようにヘッドマウントディスプレイ装置１００は、ユーザの頭部に装着する装置本体１１０と、この装置本体１１０に信号を送信する送信機構であるコントローラ１９０及びケーブル１９９と、を備えている。【００２２】
そして、装置本体１１０は、頭部装着帯１２０と、スピーカ１３０Ａ、１３０Ｂと、表示回路部１４０と、支持部１５０と、アーム部１６０と、表示部１７０と、クッション１８０Ａ、１８０Ｂと、を備えている。【００２３】
図示するように、本実施形態における頭部装着帯１２０は、帯状に形成されており、ユーザの頭部の形状に沿って、その長手方向において湾曲した形状に形成されている。【００２４】
ここで、本実施形態においては、頭部装着帯１２０の長手方向の両端には、スピーカ１３０Ａ、１３０Ｂが設けられている。【００２５】
そして、本実施形態における頭部装着帯１２０は、所定の弾性を有する材料で形成し、頭部装着帯１２０の長手方向における両端に形成されているスピーカ１３０Ａ、１３０Ｂの間隔をユーザの頭部の幅よりも小さくすることにより、ユーザの頭部に装着した際に、頭部装着帯１２０の両端に設けられているスピーカ１３０Ａ、１３０Ｂがユーザの頭部の内側の方向に付勢されるようになっている。【００２６】
また、本実施形態における頭部装着帯１２０は、図２（ヘッドマウントディスプレイ装置１００の回路構成を示す概略図）に示されているように、表示回路部１４０からスピーカ１３０Ａ、１３０Ｂに音声信号を供給する音声信号線Ｓ２を備えている。【００２７】
スピーカ１３０Ａ、１３０Ｂは、ユーザの両方の耳に当てがわれて使用されるいわゆるヘッドホン用のスピーカであり、従来から使用されているものを使用すればよいため、説明を省略する。【００２８】
ここで、本実施形態においては、図１の向かって右側のスピーカ１３０Ａに表示回路部１４０が設けられている。【００２９】
図２に示されているように、表示回路部１４０には、後述する表示部１７０に備えられている表示デバイス１７１に画像信号を送る表示処理部１４１と、表示処理部１４１及び表示デバイス１７１に電力を供給する電源回路１４２と、後述するケーブル１９９を接続するためのケーブルコネクタ１４３と、が設けられている。【００３０】
ケーブルコネクタ１４３は、後述するコントローラ１９０と、電力線Ｐ１、画像信号線Ｉ１、制御信号線Ｃ１及び音声信号線Ｓ１で接続されており、電力線Ｐ１から供給される電力は電源回路１４２に、画像信号線Ｉ１から供給される画像信号及び制御信号線Ｃ１から供給される制御信号は表示処理部１４１に、音声信号線Ｓ１から供給される音声信号はスピーカ１３０Ａ、１３０Ｂにそれぞれ送られる。【００３１】
図１の向かって右側のスピーカ１３０Ａには、支持部１５０が取り付けられており、この支持部１５０を介してアーム部１６０が回動自在に連結されている。【００３２】
例えば、図３（図１において表示部１７０が頭部装着帯１２０と対向する位置にある場合のＸ−Ｘ線における矢示方向から見た横断面図）に示されているように、支持部１５０には、スピーカ１３０Ａの内側に向かって延びる円柱状の軸１５１が設けられており、この軸１５１をスピーカ１３０Ａに形成されている円柱状の貫通孔１３１に挿入し、スピーカ１３０Ａの内側において軸１５１の先端にフランジ１５２を設けることで、支持部１５０とスピーカ１３０Ａとは回動自在に連結されている。【００３３】
ここで、貫通孔１３１と軸１５１との間には、所定のフリクショントルクが発生するように、貫通孔１３１の内径と軸１５１の外径とを適宜設計することが望ましい。なお、貫通孔１３１と軸１５１との間に所定のフリクショントルクが発生するように、これらの間に摩擦部材を挟み込むことも可能である。【００３４】
また、支持部１５０には、軸１５１の軸線と同じ方向に貫通孔１５３が形成されており、この貫通孔１５３を介して電力線Ｐ３及び画像信号線Ｉ３を有するケーブル１６１が表示回路部１４０からアーム部１６０に配線されている。【００３５】
なお、アーム部１６０にも貫通孔１５３に対応する位置に貫通孔１６２が形成されており、アーム部１６０の内部空間１６３にケーブル１６１を引き込んでいる。【００３６】
アーム部１６０は、その一端側が支持部１５０を介してスピーカ１３０Ａに回動自在に連結されており、その他端側の先端には、表示部１７０が連結されている。【００３７】
ここで、アーム部１６０は、頭部装着帯１２０をユーザの頭部に装着した際に、アーム部１６０の先端に取り付けられている表示部１７０が、ユーザの顔の前に配置されるように所定の長さを有する棒状の部材で形成されており、また、表示部１７０の表示面がユーザの眼前に向くようにその長手方向において湾曲されている。【００３８】
なお、図２に示されているように、アーム部１６０には、電源回路１４２から表示デバイス１７１に電力を供給するための電力線Ｐ３と、表示処理部１４１から表示デバイス１７１に画像信号を供給するための画像信号線Ｉ３と、が設けられている。【００３９】
表示部１７０は、アーム部１６０の先端に回動自在に連結されており、表示部１７０は、図２に示されているように、表示処理部１４１から供給される画像信号に基づいて画像を表示する表示デバイス１７１と、表示デバイス１７１で表示された画像の放射方向を変える光学系１７２と、を有している。【００４０】
本実施形態における頭部装着帯１２０には、ユーザの頭部に接触するクッション１８０Ａ、１８０Ｂが取り付けられている。【００４１】
クッション１８０Ａ、１８０Ｂは、ヘッドマウントディスプレイ装置１００をユーザの頭部で保持するためのものであって、そのような目的を果たすことができるものであれば、どのような材質のものを用いてもよい。なお、クッション１８０Ａ、１８０Ｂは、ユーザの頭部に直接接触するものであるため、少なくともユーザの頭部に接触する部分については柔軟な材質で形成することが望ましい。【００４２】
ここで、図4（装置本体１１０の正面図）に示されているように、クッション１８０Ａ、１８０Ｂは、頭部装着帯１２０の中心Ｔ（対称軸）を挟んで右側のクッション１８０Ａと、左側のクッション１８０Ｂと、の二つのクッションを備えている。【００４３】
そして、右側のクッション１８０Ａの表面であって、ユーザの頭部に接触する接触面の面積は、左側のクッション１８０Ｂの表面であって、ユーザの頭部に接触する接触面の面積よりも大きくなるようにされている。これは、図４の向かって右側のスピーカ１３０Ａに表示回路部１４０、支持部１５０、アーム部１６０及び表示部１７０が取り付けられているため、相対的に右側にかかる荷重が大きくなり、このような荷重を分散させることを目的としたものである。【００４４】
ここで、右側のクッション１８０Ａの接触面の面積を、左側のクッション１８０Ｂの接触面の面積よりもどの程度大きくするかは、右側に大きくかかる加重を分散することができる範囲で適宜選択することができる設計事項である。【００４５】
この点、本実施形態では、頭部装着帯１２０の中心Ｔを挟んで、右側の装置本体１１０の重さと、左側の装置本体１１０の重さと、の比が、右側のクッション１８０Ａの接触面の面積と、左側のクッション１８０Ｂの接触面の面積と、の比となるように形成している。なお、この比については厳密に一致している必要はなく、±１０％程度の範囲にあればよい。例えば、右側の装置本体１１０の重さＷＡと左側の装置本体１１０の重さＷＢとがＷＡ：ＷＢ＝２：１である場合に、右側のクッション１８０Ａの接触面の面積ＳＡと左側のクッション１８０Ｂの接触面の面積ＳＢとの比が２：０．９〜１．１の範囲内にあればよい。【００４６】
なお、本実施形態においては、クッション１８０Ａ、１８０Ｂの幅は同様に形成されているため、クッションの長さの比（ＬＡ：ＬＢ）が、それぞれの属する側の装置本体１１０の重さの比となっている。【００４７】
左右に取り付けられるクッション１８０Ａ、１８０Ｂの接触面の面積の比を、それぞれの属する側の装置本体１１０の重さの比となるようにすることで、それぞれのクッション１８０Ａ、１８０Ｂの単位面積当たりにかかる重さが等しくなるため、これらのクッション１８０Ａ、１８０Ｂにかかる重さが分散され、装着感が良くなる。【００４８】
コントローラ１９０は、スピーカ１３０Ａに設けられている表示回路部１４０にケーブル１９９を介して接続されており、ヘッドマウントディスプレイ装置１００全体の制御を行う。【００４９】
本実施形態におけるコントローラ１９０は、図２に示されているように、外部からの画像信号を受信する画像信号受信端１９１と、外部からの音声信号を受信する音声信号受信端１９２と、ユーザが所定の指示を入力するための操作部１９３と、画像信号や音声信号を記憶しておく記憶部１９４と、音声信号を増幅するアンプ１９５と、操作部１９３を介して入力された指示に従って各部に送る制御信号を生成する制御部１９６と、主電源回路１９７と、を備えている。【００５０】
なお、図１のように表示部１７０とスピーカ１３０Ａ、１３０Ｂを配置した場合には、表示部１７０がユーザの左目の眼前に置かれ、スピーカ１３０Ａがユーザの左耳に当てがわれ、スピーカ１３０Ｂがユーザの右耳に当てがわれるようになるが、例えば、表示部１７０をアーム部１６０とともに支持部１５０に対してほぼ１８０度回動させることで、表示部１７０がユーザの右目の眼前に置かれ、スピーカ１３０Ａがユーザの右耳に当てがわれ、スピーカ１３０Ｂがユーザの左耳に当てがわれるようにすることも可能である。【００５１】
このような場合には、表示部１７０に表示する画像の上下と、スピーカ１３０Ａ、１３０Ｂに送る音声信号の左右と、を反転させる必要があるが、本実施形態においては、このような反転指示をユーザがコントローラ１９０の操作部１９３に入力することで、制御部１９６が画像信号の上下と音声信号の左右を反転させるようにしている。【００５２】
以上のように構成される本実施形態におけるヘッドマウントディスプレイ装置１００では、頭部装着帯１２０にクッション１８０Ａ，１８０Ｂが取り付けられているため、表示回路部１４０、アーム部１６０及び表示部１７０の重さをユーザの頭部に分散させて支えることができるようになる。また、これらのクッションの１８０Ａ、１８０Ｂの接触面の面積は、それぞれのクッション１８０Ａ、１８０Ｂの属する側の装置本体１１０の重さの比に対応したものになっているため、それぞれのクッションにかかる荷重を均等に分散することができ、ユーザの装着感がアップする。【００５３】
なお、クッション１８０Ａ、１８０Ｂについては、以上に記載したようなものに限定されるわけではなく、例えば、図５（第一の実施形態の変形例であるヘッドマウントディスプレイ装置１００の斜視図）に示すように、クッション１８０Ａ、１８０Ｂと頭部装着帯１２０との間に、バネ１８１Ａ、１８１Ｂ等の弾性部材を挟み込むことも可能である。【００５４】
図６は、本発明の第二の実施形態であるヘッドマウントディスプレイ装置２００の斜視図である。【００５５】
図示するようにヘッドマウントディスプレイ装置２００は、装置本体２１０と、コントローラ１９０と、ケーブル１９９と、を備えており、装置本体２１０は、頭部装着帯２２０と、スピーカ１３０Ａ、１３０Ｂと、表示回路部１４０と、支持部１５０と、アーム部１６０と、表示部１７０と、クッション２８０Ａ、２８０Ｂと、を備えている。【００５６】
ここで、本実施形態であるヘッドマウントディスプレイ装置２００と、第一の実施形態であるヘッドマウントディスプレイ装置１００とは、頭部装着帯２２０及びクッション２８０Ａ、２８０Ｂが異なっているため、以下、この異なっている点に関連する事項について説明する。【００５７】
図７（装置本体２１０の上面図）に示されているように、本実施形態における頭部装着帯２２０は、向かって右側（ディスプレイ装置１７０が取り付けられている側）の幅が、向かって左側の幅よりも大きくされている。【００５８】
そして、このように形成されている頭部装着帯２２０に取り付けられているクッション２８０Ａ、２８０Ｂについても、向かって右側のクッション２８０Ａの幅ＤＡが、向かって左側のクッション２８０Ｂの幅ＤＢよりも大きくされている。【００５９】
なお、本実施形態においては、第一の実施形態とは異なり、向かって右側のクッション２８０Ａの長さＬＡと、向かって左側のクッション２８０Ｂの長さＬＢとは、同じ長さにされている。【００６０】
このように本実施形態においては、クッション２８０Ａ、２８０Ｂの長さを等しくして、その幅を異なるようにすることで、第一の実施形態と同様に、クッションの２８０Ａ、２８０Ｂの接触面の面積を、頭部装着帯２２０の中心Ｔを挟んでそれぞれのクッション２８０Ａ、２８０Ｂの属する側の装置本体２１０の重さの比に対応したものになるようにしている。【００６１】
以上に記載した実施形態では、右側のクッション１８０Ａ、２８０Ａと左側のクッション１８０Ｂ、２８０Ｂといったように、頭部装着帯１２０、２２０に二つのクッションを設けているが、このような態様に限定されず、例えば、図８（第二の実施形態の変形例であるヘッドマウントディスプレイ装置２００の斜視図）に示されているように、一つのクッション２８０を設けることも可能である。【００６２】
このように一つのクッション２８０を設ける場合でも、クッション２８０の幅を場所によって変えることにより、頭部装着帯２２０の中心Ｔにより分けられるクッション２８０の接触面の面積が、それぞれの側の装置本体２１０の重さの比に対応したものとなるようにすることが望ましい。【００６３】
さらに、図示してはいないが、頭部装着帯２２０の中心Ｔを挟んで、三つ以上のクッションを設けることも可能である。この場合にも、頭部装着帯２２０の中心Ｔにより分けられるクッションの接触面の面積のそれぞれの側の合計値が、それぞれの側の装置本体２１０の重さの比に対応したものとなるようにすることが望ましい。【００６４】
図９は、本発明の第三の実施形態であるヘッドマウントディスプレイ装置３００の斜視図である。【００６５】
図示するようにヘッドマウントディスプレイ装置３００は、装置本体３１０と、コントローラ１９０と、ケーブル１９９と、を備えており、装置本体３１０は、頭部装着帯３２０と、スピーカ１３０Ａ、１３０Ｂと、表示回路部１４０と、支持部１５０と、アーム部１６０と、表示部１７０と、クッション３８０Ａ、３８０Ｂ、３８０Ｃと、を備えている。【００６６】
ここで、本実施形態であるヘッドマウントディスプレイ装置３００と、第一の実施形態であるヘッドマウントディスプレイ装置１００とは、クッション３８０Ａ、３８０Ｂ、３８０Ｃが異なっているため、以下、この異なっている点に関連する事項について説明する。【００６７】
第一の実施形態においては、二つのクッション１８０Ａ、１８０Ｂが設けられていたが、本実施形態では、三つのクッション３８０Ａ、３８０Ｂ、３８０Ｃが設けられている。【００６８】
図１０（装置本体３１０の正面図）に示されているように、本実施形態においては、頭部装着帯１２０の中心Ｔと重なる位置にクッション３８０Ｃが設けられており、中心Ｔよりも右側（ディスプレイ１７０が取り付けられている側）にクッション３８０Ａが設けられており、中心Ｔよりも左側にクッション３８０Ｂが設けられている。【００６９】
ここで、クッション３８０Ａ、３８０Ｂは、その長さＬＡ、ＬＢがその幅（図１０に対して直交する方向にあるため図示せず）よりも長くなるようにされており、クッション３８０Ｃは、その長さＬＣがその幅（図１０に対して直交する方向にあるため図示せず）よりも短くなるようにされている。【００７０】
クッション３８０Ａ、３８０Ｂは、その長さＬＡ、ＬＢを長くすることにより、頭部装着帯１２０の長さ方向（図１０のＭ方向又はＭ’方向）に装置本体３１０が動いてしまうことを防止するためであり、クッション３８０Ｃは、その幅を長くすることにより、ディスプレイ１７０の回動方向（図９のＮ方向又はＮ’方向）に装置本体３１０が動いてしまうことを防止するためである。【００７１】
また、クッション３８０Ａ、３８０Ｂについては、頭部装着帯１２０の中心Ｔからそれぞれの端部１２２Ａ、１２２Ｂに向かって頭部装着帯１２０の長さにおける２０％〜４０％の範囲内に取り付けられている。【００７２】
例えば、頭部装着帯１２０が３０ｃｍの長さを有している場合、クッション３８０Ａ、３８０Ｂは、頭部装着帯１２０の中心Ｔからそれぞれの端部１２２Ａ、１２２Ｂに向かって６ｃｍ〜１２ｃｍの間の範囲内に取り付けられている。【００７３】
このような範囲内にクッション３８０Ａ、３８０Ｂを取り付けることにより、頭部装着帯１２０の長さ方向（図１０のＭ方向又はＭ’方向）に装置本体３１０が動いてしまうことを防止している。【００７４】
なお、本実施形態においても、第一の実施形態と同様に、頭部装着帯１２０の中心Ｔを挟んで、右側の装置本体１１０の重さと、左側の装置本体１１０の重さと、の比が、右側のクッション３８０Ａの接触面の面積と、左側のクッション３８０Ｂの接触面の面積と、の比となるように形成している。【００７５】
なお、本実施形態では、クッション３８０Ａ、３８０Ｂの長さＬＡ、ＬＢを幅よりも長くすることにより、頭部装着帯１２０の長さ方向（図１０のＭ方向又はＭ’方向）に装置本体３１０が動いてしまうことを防止しているが、例えば、クッション３８０Ａ、３８０Ｂの長さＬＡ、ＬＢよりも幅を長くすることにより、装置本体１１０がその水平方向（図９のＰ方向又はＰ’方向）に動いてしまうことを防止することも可能である。【００７６】
なお、以上に記載した実施形態においては、表示部１７０及びアーム部１６０をスピーカ１３０Ａに連結しているが、このような態様に限定されず、例えば、図１１に示すようにスピーカ１３０Ａに隣接した頭部装着帯１２０に回動自在に連結することも可能である。なお、図１１は図１の変形例である。【００７７】
また、本実施形態においては、頭部装着帯１２０を帯状に形成しているが、このような態様に限定されず、一方向に長手方向を有し、両端にスピーカ１３０Ａ、１３０Ｂを取り付けることができるようなものであればどのような形態のものであってもよく、例えば、少なくとも一つ以上の棒状部材により形成することも可能である。【００７８】
なお、以上で説明した各実施形態のヘッドマウントディスプレイ装置においては、コントローラ１９０が設けられているが、装置本体１１０のいずれかの部分（例えば、スピーカ１３０Ａ、１３０Ｂや頭部装着帯１２０）に、コントローラ１９０に相当する部材を内蔵させて、コントローラ１９０が無い構成のヘッドマウントディスプレイ装置にも、本発明を適用することができる。
【図１】
2008020546.tif 000003
【図２】
2008020546.tif 000004
【図３】
2008020546.tif 000005
【図４】
2008020546.tif 000006
【図５】
2008020546.tif 000007
【図６】
2008020546.tif 000008
【図７】
2008020546.tif 000009
【図８】
2008020546.tif 000010
【図９】
2008020546.tif 000011
【図１０】
2008020546.tif 000012
【図１１】
2008020546.tif 000013
【国際調査報告】
2008020546.tif 000014
2008020546.tif 000015
2008020546.tif 000016
2008020546.tif 000017